(57)【要約】【課題】安全スイッチ不操作に対する注意表示機能を持たせることにより、ピット作業時における安全スイッチの操作忘れなどに対して、作業者への注意を喚起して確実な操作を行わせるようにしたエレベータシステムを提供する。【解決手段】エレベータ乗りかご１１の昇降路１２下端に形成されたピット１６での作業を要するエレベータシステムで、前記乗りかご１１が昇降路１２の最下階位置に在るか否かを着床スイッチ２２からの信号で検出し、かつ最下階におけるエレベータホールドア２１の開閉状態をホールドア開閉状態検出手段で検出し、ピット作業者により操作されることで乗りかごを不動作状態に保持する安全スイッチ２３が、最下階に乗りかご１１が無い状態でそのエレベータホールドア２１が開となってから設定時間経過しても操作されないときは、注意喚起用の表示部２３ａを注意表示させるように構成した。【選択図】図１
2007269470.tif 000002
【特許請求の範囲】
【請求項１】
エレベータ乗りかごの昇降路下端に形成されたピットでの作業を要するエレベータシステムであって、
前記乗りかごが前記昇降路の最下階位置に在るか否かを検出する乗りかご位置検出手段と、
前記最下階におけるエレベータホールドアの開閉状態を検出するホールドア開閉状態検出手段と、
前記ピットでの作業者により操作されることで、前記乗りかごを不動作状態に保持する安全スイッチと、
前記乗りかごが最下階位置に存在しない状態で、前記最下階のエレベータホールドアが開となってから設定時間経過しても前記安全スイッチが操作されないとき、注意喚起用の表示部を注意表示させる注意表示制御手段と、
を備えたことを特徴とするエレベータシステム。
【請求項２】
注意喚起用の表示部は、音による注意表示も可能であることを特徴とする請求項１に記載のエレベータシステム。
【請求項３】
注意表示制御手段は、注意表示を連続的又は断続的に実行させることを特徴とする請求項１又は請求項２に記載のエレベータシステム。
【請求項４】
注意表示制御手段は、最下階のエレベータホールドアが開となってから注意喚起用の表示部を注意表示させるまでの設定時間を任意に設定可能であることを特徴とする請求項１、２、３のいずれかに記載のエレベータシステム。
【発明の詳細な説明】
【技術分野】
【０００１】
本発明は、エレベータ乗りかごの昇降路下端に形成されたピットでの作業を要するエレベータシステムに関する。
【背景技術】
【０００２】
一般に、建屋内に構成されるエレベータ施設では、乗りかごの昇降路下端部にピットが形成されており、このピット内の各種機器を保守点検するために、作業員がピット内に入り、所定の保守点検作業を行っている。このようなエレベータピットの保守点検作業は、ピット内に入った作業者の安全を確保するため、作業者は先ず第一にピット安全スイッチを開放操作しなければならない。すなわち、作業者は最下階のホールドア開けてからピット安全スイッチを開放操作して、エレベータシステムが動作しないようにする。これはエレベータの運転制御装置などを電源から切り離して、作業中に万が一にもエレベータの乗りかごが昇降動作しないようにするためである。ピット内作業は、このような安全確保を前提として実行される。
【０００３】
しかし、このような保守点検時の安全確保では、作業者がピット安全スイッチを切り忘れたり、慣れや、煩わしさが先に立ったりしてピット安全スイッチの使用を怠る恐れがあった。このように作業者がピット安全スイッチの使用を怠ると保守時の安全性の面から問題があるため、ピット安全スイッチに加え、保守作業者がピット点検のため最下階のホールドアを開けた場合に、自動的に保守安全回路が確立されるような提案がある（例えば、特許文献１参照）。
【特許文献１】特開平８−９１７３０号公報
【発明の開示】
【発明が解決しようとする課題】
【０００４】
上記提案によれば、安全性は確保されるものの、安全スイッチ回路のほかに、別の保守安全回路を設けることになるため、回路が複雑化する。
【０００５】
本発明の目的は、安全スイッチ不操作に対する注意表示機能を持たせることにより、ピット作業時における安全スイッチの操作忘れなどに対して、作業者への注意を喚起して確実な操作を行わせるようにしたエレベータシステムを提供することにある。
【課題を解決するための手段】
【０００６】
本発明のエレベータシステムは、エレベータ乗りかごの昇降路下端に形成されたピットでの作業を要するエレベータシステムであって、前記乗りかごが前記昇降路の最下階位置に在るか否かを検出する乗りかご位置検出手段と、前記最下階におけるエレベータホールドアの開閉状態を検出するホールドア開閉状態検出手段と、前記ピットでの作業者により操作されることで、前記乗りかごを不動作状態に保持する安全スイッチと、前記乗りかごが最下階位置に存在しない状態で、前記最下階のエレベータホールドアが開となってから設定時間経過しても前記安全スイッチが操作されないとき、注意喚起用の表示部を注意表示させる注意表示制御手段とを備えたことを特徴とする。
【０００７】
本発明では、注意喚起用の表示部は、音による注意表示も可能としてもよい。
【０００８】
また、本発明では、注意表示制御手段は、注意表示を連続的又は断続的に実行させるようにしてもよい。
【０００９】
さらに、本発明では、注意表示制御手段は、最下階のエレベータホールドアが開となってから注意喚起用の表示部を注意表示させるまでの設定時間を任意に設定可能としてもよい。
【発明の効果】
【００１０】
本発明によれば、乗りかごが最下階位置に存在しない状態で、最下階のエレベータホールドアが開となってから設定時間経過しても安全スイッチが操作されないときは、注意喚起用の表示部を注意表示させるので、作業者に対して確実に注意を喚起して、安全スイッチを操作させることができる。
【発明を実施するための最良の形態】
【００１１】
以下、本発明によるエレベータシステムの一実施の形態について、図面を用いて詳細に説明する。
【００１２】
図１において、１１はエレベータ乗りかご（以下、単に乗りかごと呼ぶ）で、建屋内に縦方向に形成された昇降路１２内に、図示しない縦向きのガイドレールにより、昇降可能に設けられている。この乗りかご１１は、主索１３により、昇降路１２の上部に設置された巻上機１４のシーブを介してつり合い錘１５と接続しており、巻上機１４の回転により昇降駆動される。また、昇降路１２の下端には、ピット１６が形成されており、このピット１６内には緩衝器などの機器１７が設置されている。
【００１３】
１９は各階床のホール（乗場）で、昇降路１２との間には、乗りかご１１に対する乗降口２０がそれぞれ設けられ、さらにこの乗降口２０にはホールドア２１がそれぞれ開閉可能に設けられている。また、これら乗降口２０近くのホール壁面には、乗りかご１１を自階床に移動させるためのホール呼びボタン（図示せず）がそれぞれ設置されている。
【００１４】
前記乗りかご１１には、着床スイッチ２２が設けられており、乗りかご１１が停止階床に着床したことを検出し、その停止階床毎に着床信号を出力する。また、この乗りかご１１内には、乗りかご１１を、目的とする階床に移動させるためのかご呼びボタン（図示せず）が設けられている。
【００１５】
２３はピット安全スイッチで、図２で示すように、ピット１６内の壁面などに設けられ、ピット内作業者が操作することにより、乗りかご１１の昇降動作を不動作状態とする。このピット安全スイッチ２３には、照光式の表示部２３ａが設けられている。この表示部２３ａは、後述するように、ピット安全スイッチ２３が操作されない場合の注意喚起に用いられる。
【００１６】
２４は制御盤で、昇降路１２の上部に設けられ、信号線２５，２６，２７により着床スイッチ２２、ホールドア２１の開閉部、ピット安全スイッチ２３とそれぞれ接続している。また、この他、前述した図示しないホール呼びボタンやかご呼びボタンとも接続している。
【００１７】
この制御盤２４は、前述した図示しないホール呼びボタンやかご呼びボタンからの信号を入力すると、これらの呼びを登録し、乗りかご１１を登録された階床に移動させるべく、巻上機１４を回転制御する。そして、乗りかご１１が目的階に到着すると、着床スイッチ２２が目的階への着床を検出する。制御盤２４は着床スイチ２２からの検出信号を入力すると、対応する階床のホールドア２１を開制御する。このホールドア２１を開いてから所定時間経過後、同ホールドア２１を閉制御し、呼び登録があれば、登録された階床へ乗りかご１１を移動させるべく巻上機１４を制御する。
【００１８】
制御盤２４は上述した主制御機能のほかに、ピット１６の作業時における安全スイッチ２３の不操作に対する注意表示制御手段を機能として有する。以下、この注意表示制御手段を説明する。
【００１９】
ピット１６内で保守点検などの作業を行う場合、作業者は、乗りかご１１が最下階に存在せず、他の階床に移動していることを確認し、最下階のホールドア２１を開操作する。作業者は、開操作された最下階のホールドア２１を通ってピット１６に降り、ピット１６内で所定の作業を行う。
【００２０】
この際、安全性を確保するために、作業に先立って先ずピット安全スイッチ２３を操作する。この操作によりピット安全スイッチ２３から制御盤２４に操作信号が入力されるので、制御盤２４は、乗りかご１１を不動作状態に保持する。すなわち、制御盤２４内に構成されたエレベータの運転制御装置などを電源から切り離して、ピット作業中に万が一にもエレベータの乗りかご１１が昇降動作しないようにしている。
【００２１】
このように、ピット作業に当って、ピット安全スイッチ２３を最初に操作して安全を確保することが必須であるが、作業者がピット安全スイッチ２３を操作し忘れたり、慣れや、煩わしさが先に立ったりしてピット安全スイッチ２３の操作を怠ることが考えられる。このような場合、作業者に対して注意を喚起し、ピット安全スイッチ２３の操作を促す必要がある。
【００２２】
そこで、制御盤２４に構成された注意表示制御手段により、ピットスイッチ２３に設けた喚起用の表示部２３ａにより、ピット安全スイッチ２３の操作を促す注意表示を行うこととした。この注意表示制御手段の処理を図３のフローチャートを用いて説明する。
【００２３】
制御盤２４に構成された注意表示制御手段は、先ず着床スイッチ２２からの信号により、乗りかごが最下階に存在していないことを確認する（ステップ３０１）。すなわち、着床スイッチ２２は、乗りかご１１の位置を検出する位置検出手段として機能する。次に、最下階のホールドア２１に設けられた図示しない開閉状態検出手段により、ホールドア２１が開けられたかを確認する（ステップ３０２）。最下階のホールドア２１が開けられ、ピット安全スイッチ２３が操作されれば（ステップ３０３：切）安全が確保されたことになるのでピット作業を開始する（ステップ３０５）。
【００２４】
これに対し、最下階のホールドア２１が開いてから設定時間経過してもピット安全スイッチ２３が操作されない場合（ステップ３０３：入）、制御盤２４に構成された注意表示手段は、ピット安全スイッチ２３に設けられた注意喚起用の表示部２３ａを点灯、或いは点滅させて注意表示を行い（ステップ３０４）、作業者に対してピット安全スイッチ２３を操作するように促す。この結果、ピット安全スイッチ２３が操作されれば（ステップ３０３：切）安全が確保されたことになるのでピット作業を開始する（ステップ３０５）。
【００２５】
すなわち、制御盤２４に構成された注意表示制御手段は、乗りかご１１が最下階位置に存在しない状態で、最下階のエレベータホールドア２１が開となってから設定時間経過しても安全スイッチ２３が操作されないとき、注意喚起用の表示部２３ａを注意表示させる機能を有する。
【００２６】
上記実施の形態では、注意喚起用の表示部２３ａの、点灯又は点滅による注意表示を例示したが、これらに限定されるものではなく、音による注意表示も可能である。例えば、点灯或いは点滅に加えブザーなどを鳴動させたり、或いは、スピーカを用いて音声により安全スイッチ２３の操作を促すメッセージを出力してもよい。
【００２７】
また、これらの注意表示は、注意表示制御手段により、連続的又は断続的に実行させるようにしてもよい。
【００２８】
また、最下階のエレベータホールドア２１が開となってから注意喚起用の表示部２３ａを注意表示させるまでの設定時間を任意に設定できるようにしてもよい。
【００２９】
また、安全スイッチ２３が操作されるまでは表示部２３ａを点滅させ、操作後はこの表示部２３ａを静止点灯させるようにしてもよい。
【００３０】
さらに、上記実施の形態では、注意喚起用の表示部２３ａは、安全スイッチ２３に対し一体構造としたが、必ずしも一体である必要は無く、安全スイッチ２３の近傍に表示部２３ａを設けてもよい。
【図面の簡単な説明】
【００３１】
【図１】本発明によるエレベータシステムの一実施の形態を示す構成図である。
【図２】同上一実施の形態におけるピット部分を示す斜視図である。
【図３】同上一実施の形態における注意表示制御手段の処理過程を説明するフローチャートである。
【符号の説明】
【００３２】
１１    乗りかご
１２    昇降路
１６    ピット
１９    ホール
２１    ホールドア
２２    乗りかご位置検出手段として機能する着床スイッチ
２３    ピット安全スイッチ
２３ａ    注意喚起用の表示部
２４    注意表示制御手段が構成される制御盤
【図１】
2007269470.tif 000003
【図２】
2007269470.tif 000004
【図３】
2007269470.tif 000005